(57)【要約】      （修正有）【課題】長期に検出効果が確保できる電気コネクタを提供する。【解決手段】検出部材が挿入される電気コネクタ１００は、収納穴が形成される絶縁性基部１と、絶縁性基部の収納穴に収納されるスイッチ端子２と、前記絶縁性基部に取り付けられる絶縁性本体３と、前記絶縁性本体を覆うハウジングとを備える。前記スイッチ端子２は、第２半田接続部を含む固定端子２２と、第１半田接続部を含む補強端子２０と、前記固定端子と電気接続するとともに前記補強端子と接離可能な可動端子２１とを有する。前記絶縁性本体は検出部材が挿入される挿入孔を有する。前記検出部材が挿入する時、前記可動端子が補強端子と接触して電気接続する。前記検出部材が押圧する時、前記可動端子が検出部材の押圧によって前記補強端子から離れて、前記補強端子との電気接続を解くように構成する。【選択図】図４
0003153370.tif 000002
【実用新案登録請求の範囲】
【請求項１】
検出部材が挿入される電気コネクタにおいて、
収納穴が形成される絶縁性基部と、
絶縁性基部の収納穴に収納され、第２半田接続部を含む固定端子と、第１半田接続部を含む補強端子と、前記固定端子と電気接続するとともに前記補強端子と接離可能な可動端子と、を有するスイッチ端子と、
前記絶縁性基部に取り付けられ、検出部材が挿入される挿入孔を有する絶縁性本体と、
前記絶縁性本体を覆うハウジングと、
を備え、前記検出部材が挿入孔に挿入される時、前記可動端子が補強端子と接触して電気接続し、前記検出部材が前記可動端子を押圧する時、前記可動端子が検出部材の押圧によって前記補強端子から離れて、前記補強端子と電気接続しないことを特徴とする電気コネクタ。
【請求項２】
前記補強端子が主体部を含み、前記可動端子が可動部を含み、前記可動部には前記補強端子の主体部と接離可能な第１片状部が設けられることを特徴とする請求項１に記載の電気コネクタ。
【請求項３】
前記可動端子が前記可動部から延在する第１、第２弾力部を有し、前記可動部が第１、第２弾力部によって弾性的に移動でき、第１、第２弾力部の間の距離が絶縁性基部の収納穴の対応する幅より小さいことを特徴とする請求項２に記載の電気コネクタ。
【請求項４】
前記固定端子には前記第２半田接続部と連接する接触部が設けられ、前記可動端子の第１弾力部には前記固定端子の接触部と当接する第１当接部が設けられることを特徴とする請求項３に記載の電気コネクタ。
【請求項５】
前記絶縁性基部には一対の係合溝が形成され、前記補強端子が前記主体部から延在して絶縁性基部の係合溝に固定される一対の係合部を有することを特徴とする請求項２に記載の電気コネクタ。
【請求項６】
前記絶縁性基部には前記収納穴に向かって突出する一対の突出部が設けられ、各係合溝が各突出部に設けられ、前記収納穴には前記固定端子を収納するための保持溝が形成されることを特徴とする請求項５に記載の電気コネクタ。
【請求項７】
前記絶縁性基部には両対の阻止部が設けられ、各阻止部には位置決め溝が形成され、ハウジングには前記位置決め溝に挿入される折曲部が設けられることを特徴とする請求項１または請求項２に記載の電気コネクタ。
【請求項８】
両対の阻止部の間にはそれぞれ第１、第２凹溝が形成され、第１凹溝には傾斜部が設けられ、前記補強端子が前記主体部から延在して前記絶縁性基部の傾斜部を当接するビームを含み、前記第１半田接続部がビーム部に設けられることを特徴とする請求項７に記載の電気コネクタ。
【請求項９】
前記ハウジングが、支持部と支持部から上向きに延在するスリーブとを含み、前記絶縁性本体が本体部とハウジングのスリーブに挿入される柱状部とを有することを特徴とする請求項１に記載の電気コネクタ。
【考案の詳細な説明】
【技術分野】
【０００１】
本考案は、電気コネクタに関し、特に、検出するためのスイッチ端子を具備する同軸コネクタに関するものである。
【背景技術】
【０００２】
従来技術の電気コネクタは、接地接点と信号接点とが設けられる高周波回路に装着される。前記電気コネクタは、絶縁性本体と、絶縁性本体に収納される固定端子と、ドーム状の可動端子と、絶縁性本体を覆う蓋体とを備える。可動端子が高周波回路の輸入端の信号接点と電気接続し、固定端子が高周波回路の輸出端の信号接点と電気接続する。可動端子には、可動部と連接部とが設けられる。固定端子には可動端子の連接部と接触するドーム部が設けられる。検出部材が電気コネクタに垂直に挿入される時、ドーム状の可動端子が反転して、連接部が固定端子のドーム部から離れる。可動端子が固定端子と電気接続しない。
【先行技術文献】
【特許文献】
【０００３】
【特許文献１】特開２００２−０４２９９１号明細書
【考案の概要】
【考案が解決しようとする課題】
【０００４】
前記電気コネクタの可動端子が検出部材の押圧によって反転することによって、固定端子から離れる。長期にわたって使用されると、ドーム状の可動端子が良好な弾力を具備しない。これにより、検出効果が確保できない。
【０００５】
そこで本考案は、上述される従来技術の問題に鑑み、検出効果が確保できる電気コネクタを提供することを目的とする。
【課題を解決するための手段】
【０００６】
前記目的を達成するために、本考案の電気コネクタには検出部材が挿入される。電気コネクタは、収納穴が形成される絶縁性基部と、絶縁性基部の収納穴に収納されるスイッチ端子と、前記絶縁性基部に取り付けられる絶縁性本体と、前記絶縁性本体を覆うハウジングとを備える。前記スイッチ端子は、第２半田接続部を含む固定端子と、第１半田接続部を含む補強端子と、前記固定端子と電気接続するとともに前記補強端子と接離可能な可動端子とを有する。前記絶縁性本体は検出部材が挿入される挿入孔を有する。前記検出部材が挿入する時、前記可動端子が補強端子と接触して電気接続する。前記検出部材が押圧する時、前記可動端子が検出部材の押圧によって前記補強端子から離れて、前記補強端子と電気接続しない。
【考案の効果】
【０００７】
従来技術と比べると、本考案は以下の長所を有する。本考案の電気コネクタが長期にわたって使用されたとしても、可動端子の可動部が検出部材の押圧操作によって、補強端子から容易に離れる。スイッチ端子の検出効果が確保できる。
【図面の簡単な説明】
【０００８】
【図１】本考案の電気コネクタの組立図である。
【図２】図１に示す電気コネクタの分解斜視図である。
【図３】図２に示す電気コネクタの別の分解斜視図である。
【図４】図２に示すスイッチ端子が絶縁性基部に装入されない電気コネクタの部分組立図である。
【図５】図４に示すスイッチ端子が絶縁性基部に装入される電気コネクタの部分組立図である。
【考案を実施するための形態】
【０００９】
図１〜図５を参照すると、本考案の電気コネクタ１００には、検出するための検出部材（図示せず）が挿入される。電気コネクタ１００は、絶縁性基部１と、スイッチ端子２と、絶縁性本体３と、ハウジング４とを備える。
【００１０】
図２及び図３に示すように、絶縁性基部１が樹脂材料によって製造される。絶縁性基部１は、底壁１０と、底壁１０から延在する一対の側壁１３と、該対の側壁１３を連接する第１、第２連接壁１２１，１２２とを備える。絶縁性基部１には、前記底壁１０と側壁１３と第１、第２連接壁１２１，１２２によって包囲される収納穴１１が形成される。底壁１０には、収納穴１１に向かって突出する支持柱１１１が設けられる。底壁１０の内表面にはＺ字状の保持溝１１２が形成される。第１連接壁１２１の外側には、外へ突出する一対の阻止部１４３が設けられる。前記第１連接壁１２１の一対の阻止部１４３の間には第１凹溝１４２が形成される。第１凹溝１４２には、第１連接壁１２１から第１凹溝１４２に向かって突出する傾斜部１５が設けられる。第１連接壁１２１の内側には係合溝１６０を含む一対の突出部１６が収納穴１１に向かって突出する。前記保持溝１１２の一端が突出部１６と側壁１３の間に位置し、他端が第２連接壁１２２を貫通して第２凹溝１４１と貫通する。第２連接壁１２２には、一対の阻止部１４３と、前記一対の阻止部１４３の間に形成される第２凹溝１４１とを備える。各阻止部１４３の底部には位置決め溝１１０が形成される。
【００１１】
スイッチ端子２は、補強端子２０と、可動端子２１と、固定端子２２とを有する。補強端子２０は、主体部２０１と、主体部２０１の両端から下向きに延在する一対の係合部２０２と、主体部２０１の側辺から延在するビーム部２０３と、ビーム部２０３に設けられる第１半田接続部２０４とを備える。可動端子２１は、可動部２１０と、可動部２１０の一者の両側から延在する第１、第２片状部２１３１，２１３２と、可動部２１０の他者の両側から延在する第１、第２弾力部２１１２，２１１１とを備える。第１、第２弾力部２１１２，２１１１の末端には互いに平行する第１、第２当接部２１２２，２１２１が設けられる。前記可動端子２１の可動部２１０が第１、第２弾力部２１１２，２１１１によって弾性的に移動できる。第１、第２弾力部２１１２，２１１１の間の距離が絶縁性基部１の収納穴１１の対応する幅より小さい。前記第１弾力部２１１２と可動部２１０との間の連接する部分の長さが、第１弾力部２１１２と第１当接部２１２２との間の連接する部分の長さよりも小さくない。固定端子２２は、Ｚ字状の接触部２２０と、接触部２２０の一端から延在する第２半田接続部２２１が設けられる。
【００１２】
絶縁性本体３は、円状の本体部３２と、本体部３２から上向きに突出する柱状部３１とを備える。柱状部３１の中には、円錐状の挿入孔３１０が形成される。本体部３２の底面には、凹部３２３が形成される。凹部３２３には、前記挿入孔３１０と貫通する貫通孔３１１が形成される。本体部３２の底部には、下向きに突出する係止部３２２と凸状部片３２１とが設けられる。
【００１３】
ハウジング４は、支持部４０と、支持部４０から上向きに延在するスリーブ４１と、支持部４０とスリーブ４１とを貫通する収納スペース４１０とを有する。支持部４０には複数の折曲部４０１が設けられる。
【００１４】
図４及び図５に示すように、可動端子２１が補強端子２０と固定端子２２の間に配置される。可動端子２１の第１当接部２１２２が固定端子２２の接触部２２０に押圧し、補強端子２０の主体部２０１が可動端子２１の第１片状部２１３１と電気接続する。スイッチ端子２が組み合わせる。スイッチ端子２が絶縁性基部１に配置される。固定端子２２が絶縁性基部１の保持溝１１２に保持される。固定端子２２の第２半田接続部２２１が第２凹溝１４１から延出する。補強端子２０の係合部２０２が絶縁性基部１の一対の係合溝１６０に嵌合される。補強端子２０のビーム部２０３が絶縁性基部１の傾斜部１５と当接する。スイッチ端子２の第１、第２半田接続部２０４，２２１が、それぞれ第１、第２外部回路（図示せず）に半田接続される。絶縁性基部３がハウジング４の底部から上向きに収納スペース４１０に向かって装入される。絶縁性基部３の柱状部３１がハウジング４の収納スペース４１０に収納される。最後に、ハウジング４が絶縁性基部１に取り付けられる。ハウジング４の折曲部４０１が絶縁性基部１の位置決め溝１１０に固定される。電気コネクタ１００が一体に製造される。
【００１５】
図１及び図５に示すように、前記検出部材が挿入孔３１０に挿入されて貫通孔３１１を越えてスイッチ端子２の可動端子２１の可動部２１０接触する時、前記可動端子２１の第１片状部２１３１が補強端子２０の主体部２０１と接触して電気接続する。検出部材がスイッチ端子２の可動端子２１の可動部２１０を押圧する時、可動端子２の可動部２１０が検出部材の押圧によって、下向きに移動する。可動端子２１の可動部２１０の移動に従って、第１片状部２１３１が補強端子２０の主体部２０１から離れて電気接続しない。これにより、電気接続するかどうかを検出できる。押圧される可動端子２の可動部２１０が支持柱１１１に支持される。
【００１６】
長期にわたって使用されても、可動端子２１の可動部２１０が検出部材の押圧操作によって、補強端子２０から容易に離れる。スイッチ端子２の検出効果が確保できる。
【００１７】
以上、本考案について好ましい実施形態を参照して詳細に説明したが、実施形態はあくまでも例示的なものであり、これらに限定されるものではない。また上述の説明は、本考案に基づき成し得る細部の修正或いは変更などは、いずれも本考案の技術的範囲に属するものである。
【符号の説明】
【００１８】
１００  電気コネクタ
１  絶縁性基部
１０  底壁
１１  収納穴
１１０  位置決め溝
１１１  支持柱
１１２  保持溝
１２１  第１連接壁
１２２  第２連接壁
１３  側壁
１４１  第２凹溝
１４２  第１凹溝
１４３  阻止部
１５  傾斜部
１６  突出部
１６０  係合溝
２  スイッチ端子
２０  補強端子
２０１  主体部
２０２  係合部
２０３  ビーム部
２０４  第１半田接続部
２１  可動端子
２１０  可動部
２１１１  第２弾力部
２１１２  第１弾力部
２１２１  第２当接部
２１２２  第１当接部
２１３１  第１片状部
２１３２  第２片状部
２２  固定端子  
２２０  接触部
２２１  第２半田接続部
３  絶縁性本体
３１  柱状部
３１０  挿入孔
３１１  貫通孔
３２  本体部
３２１  凸状部片
３２２  係止部
３２３  凹部
４  ハウジング
４０  支持部
４０１  折曲部
４１  スリーブ
４１０  収納スペース
【図１】
0003153370.tif 000003
【図２】
0003153370.tif 000004
【図３】
0003153370.tif 000005
【図４】
0003153370.tif 000006
【図５】
0003153370.tif 000007